(57)【要約】【課題】治具を別途用意する必要がなく、簡易な操作によって、閉鎖動作した開閉体を待機状態に復帰させることができる閉鎖装置を提供する。【解決手段】待機状態では、閉鎖制御部１８の支持アーム２１が突出し、開閉体の係止片を支持して開閉体の自重による降下を阻止している。非常時には、閉鎖制御部１８は支持アーム２１を引っ込め、支持アーム２１による係止片の支持が解除され、開閉体１１が自重によって降下して開口部を閉鎖する。非常状態が解消し、待機状態に復帰させる際には、開閉体を持ち上げて収納した後、復帰板３５をスライドさせる。復帰板３５の一端が支持アーム２１の突起部２２に嵌合し、さらに支持アーム２１の回動に伴って復帰板３５も湾曲し、突起部２２を突き上げるように作用する。そして、支持アーム２１が突出し、開閉体１１を支持して待機状態となる。【選択図】図２
2015224519.tif 000002
【特許請求の範囲】
【請求項１】
建物の開口部を閉鎖する開閉体と、前記開閉体を巻回するとともに該開閉体を巻き取り方向に付勢する付勢手段を内蔵した巻き取りドラムと、前記開閉体の下端部に設けられ前記開閉体とともに自重により前記付勢手段による巻き取り方向への付勢に対抗して降下する座板と、待機時には突出して前記開閉体を開放位置で前記座板を支持するとともに動作時には引き込まれて前記開閉体の支持を解除し該解除状態を保持する支持手段と、前記開閉体の支持を解除した前記支持手段を突出させ前記支持手段により前記開閉体を開放位置で支持させて待機時の状態に復帰させる復帰手段を有することを特徴とする閉鎖装置。
【請求項２】
前記支持手段は、水平回動により突出及び引き込みが行われ、前記復帰手段は、前記支持手段を水平回動させて前記支持手段を突出させることを特徴とする請求項１に記載の閉鎖装置。
【請求項３】
前記復帰手段は弾性体であり、該弾性体をスライドさせることにより前記支持手段を回動させることを特徴とする請求項２に記載の閉鎖装置。
【請求項４】
一端が前記復帰手段に取り付けられ、前記復帰手段を動作させるとともに、他端に吸着手段が設けられた紐状部材をさらに有することを特徴とする請求項１から請求項３のいずれか１項に記載の閉鎖装置。
【発明の詳細な説明】
【技術分野】
【０００１】
本発明は、防火又は防火防煙の区画に設けられた開口部を閉鎖する防災用の閉鎖装置に関するものである。
【背景技術】
【０００２】
災害発生時に、炎や煙などが広がるのを防ぎ、また避難路などを確保するため、防火又は防火防煙の区画を設定し、その区画に設けられた開口部に防災用シャッター装置が設けられている。災害時には開口部が開閉体により閉鎖され、炎や煙が開閉体により遮断されて延焼や煙の充満を遅延させることができる。
【０００３】
防災用シャッター装置は、開閉体の一端に係止部材が設けられており、待機状態では開閉体を収納するとともに係止部材を係止し、開閉体が降下しないようにしておく。非常時には係止が解除されることにより、開閉体及び係止部材が自重により降下し、開口部を閉鎖する。これにより、火災の延焼や煙の拡散などを防ぐことができる。
【０００４】
例えば特許文献１には、待機状態ではラッチ機構により係止部材を係止しており、非常時には係止を解除して開閉体を降下させ、復帰の際にはラッチ機構により係止部材を係止する構成のスクリーン装置が記載されている。
【０００５】
非常時に係止が解除された後、非常脱出の際に開閉体を持ち上げるなどの操作が行われることがある。このような場合、開閉体を持ち上げた際に係止部材が係止されてしまうと、開口部の閉鎖が損なわれたままとなり、防火防煙の効果が得られなくなってしまう。そのため、非常時に係止が解除された後は、係止部材が係止されないようにし、開口部の閉鎖状態が維持されるようにしている。このような構成では、係止が解除された後に待機状態に復帰させる際には、単に開閉体を収納しただけでは係止部材が係止されず、別途、復帰の操作を行う必要がある。
【０００６】
例えば特許文献２に記載の開閉装置では、回動する係止装置により係止部材を係止しており、非常時には係止装置をソレノイドにより回動させて係止を解除し、開閉体を降下させている。開閉体の下降とともに揺動部材が回動するように構成されており、開閉体を持ち上げた場合には揺動部材が収容部の当接面に当接して開閉体の収容を阻害し、係止部材が係止されないようにしている。
【０００７】
この特許文献２に記載されている構成において待機状態に復帰させる場合には、専用の治具を用いて揺動部材が収容部の当接面に当接しないように回動させた上で開閉体を収容させ、係止装置により係止部材を係止させる。従って、専用の治具が必要となるとともに、その操作は複雑であり、たとえ作業員が行うとしても煩雑な操作であった。
【先行技術文献】
【特許文献】
【０００８】
【特許文献１】特開２００５−１５５０４５号公報
【特許文献２】特開２００７−３１４９８６号公報
【発明の概要】
【発明が解決しようとする課題】
【０００９】
本発明は、上述した事情に鑑みてなされたもので、治具を別途用意する必要がなく、簡易な操作によって、閉鎖動作した開閉体を待機状態に復帰させることができる閉鎖装置を提供することを目的とするものである。
【課題を解決するための手段】
【００１０】
本願請求項１に記載の発明は、建物の開口部を閉鎖する開閉体と、前記開閉体を巻回するとともに該開閉体を巻き取り方向に付勢する付勢手段を内蔵した巻き取りドラムと、前記開閉体の下端部に設けられ前記開閉体とともに自重により前記付勢手段による巻き取り方向への付勢に対抗して降下する座板と、待機時には突出して前記開閉体を開放位置で前記座板を支持するとともに動作時には引き込まれて前記開閉体の支持を解除し該解除状態を保持する支持手段と、前記開閉体の支持を解除した前記支持手段を突出させ前記支持手段により前記開閉体を開放位置で支持させて待機時の状態に復帰させる復帰手段を有することを特徴とする閉鎖装置である。
【００１１】
本願請求項２に記載の発明は、本願請求項１に記載の発明における前記支持手段が、水平回動により突出及び引き込みが行われ、前記復帰手段は、前記支持手段を水平回動させて前記支持手段を突出させることを特徴とする閉鎖装置である。
【００１２】
本願請求項３に記載の発明は、本願請求項２に記載の発明における前記復帰手段は弾性体であり、該弾性体をスライドさせることにより前記支持手段を回動させることを特徴とする閉鎖装置である。
【００１３】
本願請求項４に記載の発明は、本願請求項１から請求項３のいずれか１項に記載の発明において、一端が前記復帰手段に取り付けられ、前記復帰手段を動作させるとともに、他端に吸着手段が設けられた紐状部材をさらに有することを特徴とする閉鎖装置である。
【発明の効果】
【００１４】
本発明によれば、特別な治具を用いることなく、復帰手段の操作によって閉鎖動作した開閉体を待機状態に復帰させることができるという効果がある。例えば復帰手段をスライドさせるだけで開閉体を支持手段により支持させて待機状態に復帰させることができる。支持手段が回動する構成の場合でも対応することができ、この場合には復帰手段を弾性体により構成すると、復帰手段をスライドさせる際に、より軽い力で支持手段を回動させることができる。また、復帰手段に紐状部材を設けておくことによって、開閉体の収容部の外部から復帰手段を動かす操作を行うことができ、また、吸着手段により待機状態での利用にも邪魔になることがないなど、種々の効果を奏するものである。
【図面の簡単な説明】
【００１５】
【図１】本発明の実施の一形態を示す構成図である。
【図２】閉鎖制御部１８の一例を示す構成図である。
【図３】本発明の実施の一形態における動作の一例の説明図である。
【図４】閉鎖制御部１８の非常時の状態の一例の説明図である。
【図５】復帰動作の一例の説明図である。
【図６】復帰板を移動させる構成の一例の説明図である。
【図７】復帰板を移動させる構成の別の例の説明図である。
【図８】従来の復帰動作の一例の説明図である。
【発明を実施するための形態】
【００１６】
図１は、本発明の実施の一形態を示す構成図である。図中、１１は開閉体、１２は座板、１３は係止片、１４はガイドレール、１５は巻き取りドラム、１６はコイルバネ、１７はケース、１８は閉鎖制御部である。
【００１７】
開閉体１１は、非常の際に開口部を閉鎖するものである。この開閉体１１としては、例えば耐熱性のシート材やパネル材の連続体などが使用され、開口部を閉鎖することにより火災の延焼や煙の拡散などを防ぐ。開閉体１１の下端部には座板１２が取り付けられており、座板１２には係止片１３が設けられている。開閉体１１は、待機時の状態では巻き取りドラム１５に巻き取られており、閉鎖制御部１８が係止片１３を係止して、開閉体１１が巻き取られた状態を維持している。また、非常の際には閉鎖制御部１８による係止が外され、開閉体１１が座板１２及び係止片１３とともに自重によりガイドレール１４に沿って降下し、開口部を閉鎖する。
【００１８】
ガイドレール１４は、開閉体１１の幅方向の両端部に設けられており、開閉体１１の下降及び巻き取りの際の動作を案内する。
【００１９】
巻き取りドラム１５は、開閉体１１を巻回するものであり、回動して開閉体１１をその上方側で巻き取ったり繰り出したりする。巻き取りドラム１５内にはその軸にコイルバネ１６を内蔵している。このコイルバネ１６は、開閉体１１を巻き取り方向に付勢している。例えば開閉体１１の重量分だけ巻き取れるようにスプリングトルクが設定され、開閉体１１を持ち上げて巻き取りドラム１５に巻き取らせる際の力を軽減している。もちろん、非常の際には開閉体１１が座板１２及び係止片１３とともに、自重により、コイルバネ１６による巻き取り方向への付勢に対抗して降下し、開口部を閉鎖することになる。
【００２０】
ケース１７は、巻き取りドラム１５及びその巻き取りドラム１５に巻き取られた開閉体１１を収納する。
【００２１】
ケース１７の開閉体１１の出入り口付近に閉鎖制御部１８が設けられている。閉鎖制御部１８については後述するが、待機状態では支持アームを開閉体１１側へ突出させて係止片１３を支持し、開閉体１１の降下を阻止している。非常の際に防災信号などの非常信号が閉鎖制御部１８に入力され、この信号により支持アームを引っ込めて係止片１３の支持を解除する。また、閉鎖制御部１８には復帰板が設けられており、支持アームによる開閉体１１の支持が解除された後に復帰させる際には、開閉体１１を巻き取りドラム１５に巻き取らせた後、復帰板をスライドさせて支持アームを突出させ、支持アームにより係止片１３を支持させる。
【００２２】
図２は、閉鎖制御部１８の一例を示す構成図である。図中、２１は支持アーム、２２は突起部、２３は支持板部、２４は回動軸、２５は切欠部、２６は引っ張りバネ、２７は揺動部材、２８は揺動軸、２９は嵌合ピン、３０は長穴、３１はソレノイド、３２は突出部、３３は突出ピン、３４は圧縮バネ、３５は復帰板である。図２は平面図であり、この例における支持アーム２１は、例えば水平方向に動作する。このような構成であると、閉鎖制御部１８の厚みを薄く構成することができる。
【００２３】
支持アーム２１は、待機時は突出した状態で開閉体１１の係止片１３を支持し、開閉体１１の下降を阻止する。また、非常時は後述する動作により閉鎖制御部１８側に引っ込むことで開閉体１１の係止片１３の支持が解除される。支持アーム２１の端部には突起部２２が設けられており、復帰板３５が係合するように構成されている。
【００２４】
この支持アーム２１は支持板部２３と一体に構成されている。支持板部２３は回動軸２４を中心に回動自在に構成されており、引っ張りバネ２６によって支持アーム２１が閉鎖制御部１８側へ引っ込む方向に支持板部２３が回動するように引っ張られている。また支持板部２３には切欠部２５が設けられており、待機状態では揺動部材２７に設けられている嵌合ピン２９が切欠部２５に嵌合することにより引っ張りバネ２６の引っ張り力に抗して支持板部２３の回転を妨げ、これにより支持アーム２１が突出した状態を維持する。
【００２５】
揺動部材２７は、揺動軸２８を中心に揺動する。揺動部材２７には嵌合ピン２９が設けられており、支持板部２３に設けられている切欠部２５と嵌合ピン２９が嵌合することにより、支持アーム２１が突出した状態を維持する。また、揺動部材２７には長穴３０が設けられており、突出ピン３３が長穴３０を貫通している。
【００２６】
ソレノイド３１は、防災信号などの信号を受けると突出部３２を引っ込めるように動作する。突出部３２には突出ピン３３が設けられており、揺動部材２７に設けられている長穴３０を貫通している。また、突出部３２には圧縮バネ３４が設けられており、この圧縮バネ３４により突出部３２は待機状態で突出する方向に付勢されている。
【００２７】
復帰板３５は、スライドできるように取り付けられており、スライドさせた際に一端が支持アーム２１の突起部２２に係合し、さらにスライドさせることにより支持アーム２１を突出させる。この復帰板３５として弾性体を用いると、スライドさせるという直線的な動作でも容易に支持アーム２１を回動させ、突出させることができる。また、非常時には支持アーム２１が引っ込む際にこの復帰板３５に当接しても、復帰板３５がスライドすることにより支障が生じることはない。スライドさせる構成としては、例えば復帰板３５に長手方向の長穴を複数箇所設けておき、スペーサーを用いてスライド方向に自在に動くように固定しておけばよい。もちろん、両側をガイドで規制してスライド可能に構成するなど、種々の構成を適用可能である。
【００２８】
図３は、本発明の実施の一形態における動作の一例の説明図、図４は、閉鎖制御部１８の非常時の状態の一例の説明図である。図３（Ａ）には待機時の状態を示している。この状態では、閉鎖制御部１８は図２に示しているように支持アーム２１が突出した状態となっている。すなわち、ソレノイド３１の突出部３２が圧縮バネ３４の力によって突出する状態となり、突出部３２に設けられている突出ピン３３が揺動部材２７を揺動させて嵌合ピン２９を支持板部２３側へ押している。また、支持アーム２１が突出した状態では、支持板部２３に設けられている切欠部２５と嵌合ピン２９が嵌合しており、引っ張りバネ２６による引っ張り力に抗して支持アーム２１が突出した状態が維持されている。
【００２９】
この支持アーム２１は、図３（Ａ）に示す例では水平方向に回動して閉鎖制御部１８から開閉体１１側へ突出し、開閉体１１の係止片１３の下面と当接し、両者が係止される。これにより開閉体１１の係止片１３が支持アーム２１によって支持され、開閉体１１が自重により降下することはない。
【００３０】
非常時など、非常信号が入ると、閉鎖制御部１８のソレノイド３１が動作し、突出部３２を引き戻す。それとともに突出部３２に設けられている突出ピン３３もソレノイド３１側に引かれ、揺動部材２７を引っ張る。揺動部材２７は揺動軸２８を中心に回動し、揺動部材２７に設けられている嵌合ピン２９も回動する。これにより、嵌合ピン２９が支持板部２３に設けられている切欠部２５から外れる。支持板部２３は引っ張りバネ２６によって引っ張られており、嵌合ピン２９が切欠部２５から外れたことにより支持板部２３が回動軸２４を中心に回動する。そして、支持板部２３と一体となっている支持アーム２１も回動し、開閉体１１側へ突出していた支持アーム２１は水平方向に回動して閉鎖制御部１８側へ引っ込むことになる。この状態を図４に示している。
【００３１】
支持アーム２１が開閉体１１側から閉鎖制御部１８側へ引っ込むと、支持アーム２１による係止片１３の支持が解除され、座板１２及び係止片１３と開閉体１１の自重によって、開閉体１１がガイドレール１４に沿って降下し、開口部を閉鎖することになる。支持アーム２１による係止片１３の支持が解除されて開閉体１１が降下を開始した状態を図３（Ｂ）に示している。
【００３２】
開閉体１１は巻き取りドラム１５内のコイルバネ１６により巻き取り方向に付勢されているが、この付勢力に対抗して、開閉体１１は座板１２や係止片１３などとともに、自重により降下する。このコイルバネ１６による巻き取る方向への付勢力により、開閉体１１の降下による衝撃は軽減されている。例えば避難者が挟まれたとしても、怪我を負うことはない。また、避難者が避難の際に開閉体１１を上昇させる際にも、軽い力で開口部を開放し、避難することができる。
【００３３】
支持アーム２１による係止片１３の支持が解除され、開閉体１１が降下した後は、その状態が維持される。支持アーム２１は閉鎖制御部１８側へ引っ込んだままであり、支持アーム２１と係止片１３が係止されることはない。従って、上述のように避難者が開閉体１１を上昇させたとしても、座板１２及び係止片１３と開閉体１１は上部で停止することはなく、再びその自重によって降下し、開口部は閉鎖されることになる。これにより、避難者が避難路を失うことはなく、また火災の延焼や煙の充満などを防ぐことができる。
【００３４】
非常状態が解消し、待機状態に復帰させる際には、座板１２を持ち上げ、開閉体１１を巻き取りドラム１５に巻き取らせる。その際に、巻き取りドラム１５内のコイルバネ１６が開閉体１１の巻き取りをアシストする。コイルバネ１６は、開閉体１１の重量分を巻き取れる程度のスプリングトルクが設定されており、開閉体１１を容易に巻き取りドラム１５に巻き取らせることができる。
【００３５】
しかし、単に開閉体１１を上昇させて巻き取りドラム１５に巻き取らせても、支持アーム２１と係止片１３とが係止せず、そのままでは開閉体１１は降下してしまい、開口部を開放した状態に保つことができない。そのため、係止片１３が支持アーム２１によって支持されるように復帰の操作を行う必要がある。
【００３６】
図５は、復帰動作の一例の説明図である。非常状態から待機状態に復帰させるには、開閉体１１を上昇させて巻き取りドラム１５に巻き取らせた後、閉鎖制御部１８の復帰板３５をスライドさせればよい。復帰板３５をスライドさせると、まず図５（Ａ）に示すように、復帰板３５の一端が支持アーム２１に当接し、支持アーム２１の突起部２２と嵌合する。
【００３７】
さらに復帰板３５をスライドさせると、その力が支持アーム２１を回動させる力として作用し、図５（Ｂ）に示すように、支持アーム２１が閉鎖制御部１８から開閉体１１の方向に突出する。その際に、復帰板３５が弾性体であると、支持アーム２１の回動に伴って復帰板３５も湾曲し、突起部２２を突き上げるように作用する。これにより、支持アーム２１を少ない力で突出させることができる。
【００３８】
閉鎖制御部１８の内部では、図４に示した状態において、非常信号がなくなればソレノイド３１による突出部３２を引き込む力は働いていない。従って、圧縮バネ３４によって突出部３２は突出する方向に付勢されており、揺動部材２７が回動して、揺動部材２７に設けられている嵌合ピン２９が支持板部２３側へ押しつけられた状態となる。
【００３９】
この状態から、図５（Ａ）、（Ｂ）に示した復帰動作が行われると、支持アーム２１及び支持板部２３が回動軸２４を中心として回動し、切欠部２５が嵌合ピン２９の位置まで回動してくる。すると、圧縮バネ３４による揺動部材２７への付勢によって、嵌合ピン２９が切欠部２５に嵌合する。これによって、支持アーム２１及び支持板部２３は引っ張りバネ２６による引っ張り力にもかかわらず、その回動が嵌合ピン２９により規制され、支持アーム２１は突出した状態が維持されることになる。このようにして閉鎖制御部１８は図２に示した待機状態となる。
【００４０】
また、開閉体１１を上昇させた後に閉鎖制御部１８の復帰板３５をスライドさせて支持アーム２１を突出させれば、係止片１３の下部に支持アーム２１を突出させることができる。これにより、作業後に開閉体１１を放し、自重により下降させても、突出した支持アーム２１に係止片１３が当接した時点で停止し、支持アーム２１が係止片１３を支持することになる、このようにして、開閉体１１は開放状態となる。
【００４１】
なお、復帰板３５をスライドさせて支持アーム２１を突出させ、復帰させた後は、復帰板３５を放せばよい。復帰板３５の弾性力により湾曲した復帰板３５は復帰動作でスライドさせた方向とは反対方向に移動しながら、元の板状に戻る。また、待機状態から非常状態となって、突出していた支持アーム２１が回動して引っ込んだ場合、復帰板３５は支持アーム２１の回動により押され、復帰動作時のスライド方向とは反対方向に移動する。これにより、非常時の動作に復帰板３５が邪魔することはない。
【００４２】
図６は、復帰板を移動させる構成の一例の説明図である。図中、４１は紐状部材、４２は吸着部である。上述した待機状態への復帰の際には、復帰板３５をスライドさせることになる。この例では復帰板３５は閉鎖制御部１８と開閉体１１及び座板１２などに挟まれた位置に存在することから、スライドさせる操作のために狭い場所に手を挿入するなど、困難な作業が生じることも考えられる。復帰操作をさらに容易にするための構成として、図６に示した例では、紐状部材４１の一端を復帰板３５に固定しておき、この紐状部材４１を引っ張ることにより復帰板３５をスライドさせる構成としている。これにより、外部から容易な操作によって復帰板３５をスライドさせ、待機状態へ復帰させることができる。
【００４３】
紐状部材４１をそのまま垂らしておくと、美観を損ね、あるいは開口部の通行に支障が生じる場合がある。このような状況を回避するため、図６に示した例では、紐状部材４１の他端側に吸着部４２を設けている。この吸着部４２は、例えば磁石や吸盤などを含んで構成されており、復帰の操作を行う場合以外では、例えばケース１７の下部、例えばまぐさ部など、開閉体１１の降下に支障とならない位置に吸着させておくとよい。これにより、紐状部材４１が垂れて美観を損ねたり、開口部の通行に支障が生じることはない。
【００４４】
図７は、復帰板を移動させる構成の別の例の説明図である。図中、４３は突起部である。この例では、復帰板３５に突起部４３を設け、略Ｌ字形状あるいはＴ字形状としている。作業者は突起部４３をスライドさせることにより、上述した復帰の操作を行えばよい。突起部４３は、ケース１７の下面から僅かに引っ込む程度から僅かに突出する程度とすると、操作性及び美観ともによい。あるいは、突起部４３を操作する箇所についてケース１７に凹部を設けて、その凹部で突起部４３の操作を行い、復帰板３５をスライドさせてもよい。
【００４５】
図８は、従来の復帰動作の一例の説明図である。図中、５１は治具である。上述した待機状態への復帰の操作には、従来は治具５１を別途用意し、用いていた。例えば、ドライバーや専用の治具５１を閉鎖制御部１８（ケース１７）と開閉体１１及び座板１２との隙間から挿入し、引っ込んでいる支持アーム２１の突起部２２に治具５１の先端を引っかけて引き上げるといった操作を行う。しかし、適当な治具５１を所持していないと作業にかかれない。また、閉鎖制御部１８（ケース１７）と開閉体１１及び座板１２との隙間は暗く、また狭い。そのため、支持アーム２１の突起部２２を狭い隙間から探し出し、その突起部２２に隙間から治具５１を挿入して、目視により治具５１の先端を引っかける操作は、非常に困難な作業であった。また、治具５１の先端を支持アーム２１の突起部２２になかなか引っかからないことも多かった。さらに、支持アーム２１は回転軌道であるため、治具５１の先端を引っかけてから、引き出す回転方向に治具５１の先端を誘導しなければならず、操作に慣れが必要であった。
【００４６】
上述の本願発明の構成では、既設の復帰板３５をスライドさせる操作で待機状態へ復帰させることができる。従って、治具を別途用意する必要はなく、また復帰の操作も簡単で確実である。例えば図６に示した紐状部材４１や図７に示した突起部４３を復帰板３５に設けておけば、復帰の操作はさらに容易となる。
【００４７】
以上、本発明の実施の一形態について説明したが、本発明はこの例に限られるものではなく、趣旨を逸脱しない範囲で種々の変形が可能である。例えば、図６，図７に示した例以外の構成を用い、復帰板３５をスライドさせる構成であってもよいことは言うまでもない。また、支持アーム２１により係止片１３を支持する構成を示しているが、支持アームが座板１２を直接支持する構成であってもよいし、開閉体１１が硬質の材料であれば、開閉体１１の一部を係止して支持する構成であってもよい。また、支持アーム２１の動作についても、上述の説明では水平方向に回動する構成であるが、上下方向への回動や、いずれの場合も直線的な動作であってもよい。それに伴って復帰板３５は左右方向のスライドを上下方向のスライドに変更するなど、方向を変更すればよい。もちろん、復帰板３５についても、その形状は図６で示した形状など、種々の形状が考えられる。もちろん、板状でなくてもよいが、スライドさせる動作が支持アーム２１の回動あるいは直線的な動作に変更される構成であればよい。
【符号の説明】
【００４８】
１１…開閉体、１２…座板、１３…係止片、１４…ガイドレール、１５…巻き取りドラム、１６…コイルバネ、１７…ケース、１８…閉鎖制御部、２１…支持アーム、２２…突起部、２３…支持板部、２４…回動軸、２５…切欠部、２６…引っ張りバネ、２７…揺動部材、２８…揺動軸、２９…嵌合ピン、３０…長穴、３１…ソレノイド、３２…突出部、３３…突出ピン、３４…圧縮バネ、３５…復帰板、４１…紐状部材、４２…吸着部、４３…突起部、５１…治具。
【図１】
2015224519.tif 000003
【図２】
2015224519.tif 000004
【図３】
2015224519.tif 000005
【図４】
2015224519.tif 000006
【図５】
2015224519.tif 000007
【図６】
2015224519.tif 000008
【図７】
2015224519.tif 000009
【図８】
2015224519.tif 000010